(57)【要約】      （修正有）【課題】取付孔の寸法の違いに、係止部材の設計変更で対応できるアンテナ取付装置を提供する。【解決手段】取付孔２４に挿通できる係止部材２０に下方から取付ネジ１８を嵌挿し、その先端部をアンテナベース１０に下方から螺入する。係止部材２０は、周縁部から上方に向けて４つの突起を突出し、突起は下部分を一体で上部分を縦割りで２つに分割し、上部分の１方を係止爪２０ａとし、他方を断面く字状に内方に折り曲げて開口用腕部２０ｂとする。アンテナベース１０の凸部の周面に開口用腕部２０ｂの上端部が当接して上方と内方への移動を規制する溝１０ｄを設ける。取付ネジ１８の締め付け螺入により開口用腕部２０ｂの断面く字状をより深く折り曲げ、下部分が一体の係止爪２０ａの先端を外方に拡げて取付孔２４の周縁部に臨ませる。開口用腕部２０ｂの長さ変更で、係止爪２０ａが外方に拡がる大きさを変更する。【選択図】  図４
2006345245.tif 000002
【特許請求の範囲】
【請求項１】
車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起は下部分を一体で上部分を縦割りで複数に分割して形成し、前記複数に分割され上部分の１つを係止爪とし、他の１つを断面く字状となるように内方に折り曲げて開口用腕部とし、前記アンテナベースに前記開口用腕部の上端部が当接して上方と内方への移動を規制する当接部を設け、前記取付ネジの締め付け螺入により前記開口用腕部の前記断面く字状をより深く折り曲げることで前記下部分が一体の前記係止爪の先端が外方に拡がって前記取付孔の周縁部に臨むように構成したことを特徴とするアンテナ取付装置。
【請求項２】
アンテナベースから下方に取付ネジを突設し、前記取付ネジに車体に穿設した取付孔に挿通できる係止部材を嵌挿し、さらに前記取付ネジの下端部にナットを螺合し、前記係止部材は、周縁部から上方に向けて複数の突起を突出し、前記突起は下部分を一体で上部分を縦割りで複数に分割して形成し、前記複数に分割され上部分の１つを係止爪とし、他の１つを断面く字状となるように内方に折り曲げて開口用腕部とし、前記アンテナベースに前記開口用腕部の上端部が当接して上方と内方への移動を規制する当接部を設け、前記ナットの締め付け螺合により前記開口用腕部の前記断面く字状をより深く折り曲げることで前記下部分が一体の前記係止爪の先端が外方に拡がって前記取付孔の周縁部に臨むように構成したことを特徴とするアンテナ取付装置。
【請求項３】
車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起の一部分を内方に折り曲げてその先端が上方を向くように切り起こし、前記突起を係止爪とし、前記切り起こしを開口用腕部とし、前記アンテナベースに前記開口用腕部の上端部が当接して上方と内方への移動を規制する当接部を設け、前記取付ネジの締め付け螺入により前記開口用腕部の前記切り起こしの折り曲げの深さを浅くすることで前記係止爪の先端が外方に拡がって前記取付孔の周縁部に臨むように構成したことを特徴とするアンテナ取付装置。
【請求項４】
アンテナベースから下方に取付ネジを突設し、前記取付ネジに車体に穿設した取付孔に挿通できる係止部材を嵌挿し、さらに前記取付ネジの下端部にナットを螺合し、前記係止部材は、周縁部から上方に向けて複数の突起を突出し、前記突起の一部分を内方に折り曲げてその先端が上方を向くように切り起こし、前記突起を係止爪とし、前記切り起こしを開口用腕部とし、前記アンテナベースに前記開口用腕部の上端部が当接して上方と内方への移動を規制する当接部を設け、前記ナットの締め付け螺合により前記開口用腕部の前記切り起こしの折り曲げの深さを浅くすることで前記係止爪の先端が外方に拡がって前記取付孔の周縁部に臨むように構成したことを特徴とするアンテナ取付装置。
【請求項５】
請求項１または２記載のアンテナ取付装置において、前記突起に上縁部から下方に向けて途中まで切り込みを設けて、前記突起を下部分が一体で上部分が複数に分割された形状に構成したことを特徴とするアンテナ取付装置。
【請求項６】
請求項１または２記載のアンテナ取付装置において、前記突起に上縁部から下方に向けて途中まで１本の切り込みを設けて、前記突起を下部分が一体で上部分が２つに分割された形状に構成したことを特徴とするアンテナ取付装置。
【請求項７】
請求項３または４記載のアンテナ取付装置において、前記突起の中央部分に、上側を連結し下側を遊端部とする切り込みを設け、前記遊端部をレ字状に内方に折り曲げてその先端が上方を向くように切り起こして前記開口用腕部を構成したことを特徴とするアンテナ取付装置。
【請求項８】
請求項３または４記載のアンテナ取付装置において、前記突起の中央部分に、上側を遊端部とし下側を連結する切り込みを設け、前記遊端部をく字状に内方に折り曲げてその先端が上方を向くように切り起こして前記開口用腕部を構成したことを特徴とするアンテナ取付装置。
【請求項９】
請求項１または３記載のアンテナ取付装置において、前記当接部で前記開口用腕部の上端部が前記取付ネジの締め付け螺入方向へ移動するのを規制するように構成したことを特徴とするアンテナ取付装置。
【請求項１０】
請求項２または４記載のアンテナ取付装置において、前記当接部で前記開口用腕部の上端部が前記ナットの締め付け螺合方向へ移動するのを規制するように構成したことを特徴とするアンテナ取付装置。
【請求項１１】
請求項１または３記載のアンテナ取付装置において、前記アンテナベースに前記係止爪の上端部が当接する上部が広いテーパー状の斜面を設け、前記取付ネジの締め付け螺入の初期の段階で、前記係止爪の先端が外方に前記斜面により拡がるように構成したことを特徴とするアンテナ取付装置。
【請求項１２】
請求項２または４記載のアンテナ取付装置において、前記アンテナベースに前記係止爪の上端部が当接する上部が広いテーパー状の斜面を設け、前記取付ナットの締め付け螺合の初期の段階で、前記係止爪の先端が外方に前記斜面により拡がるように構成したことを特徴とするアンテナ取付装置。
【発明の詳細な説明】
【技術分野】
【０００１】
本発明は、車体のルーフ等にアンテナベースを取り付けるアンテナ取付装置に関するものである。
【背景技術】
【０００２】
自動車用アンテナ装置を車体のルーフ等に取り付ける従来のアンテナ取付装置の構造は、ルーフ等に穿設した取付孔に、自動車用アンテナ装置のアンテナベースから下方に突出する取付ネジを挿通し、ルーフ等の下方に突出した取付ネジに対して、下方から爪付きワッシャを嵌挿し、さらにナットを螺合して固定するものである。そこで、作業性を良くするために、爪付きワッシャとナットがネジ軸回りに相対回転可能でしかもネジ軸方向に離さないように連結して一体化されていた。さらに、作業性を向上させる目的で、特許第２７５１１４６号により、取付ネジに爪付きワッシャを介してナットを仮止めする技術が提案されている。この提案技術によれば、仮止め後は、作業者がナットから手を離しても取付ネジからナットが脱落することがなく、作業性がより改善される。
【特許文献１】特許第２７５１１４６号公報
【０００３】
上記の特許第２７５１１４６号で提案された技術は、取付ネジにナットを仮止めした後は、ナットから作業者が手を離してもナットが脱落せず、作業性に優れたものである。しかしながら、ルーフ等の上方から取付孔に挿通した取付ネジに対して、ルーフ等の下方からナットを仮止めするため、ナットを仮止めする作業工程が必要である。そこで、取付ネジにナットが既に螺合されて一体化されたものを、取付孔にルーフ等の上方から挿通し、ルーフ等の下方から単にナットを締め付けるならば、作業性を大幅に改善できる。かかる技術が、特開２００５−５１４１２号や特表２００５−５０６７３２号に示されている。
【特許文献２】特開２００５−５１４１２号公報
【特許文献３】特表２００５−５０６７３２号公報
【０００４】
特開２００５−５１４１２号に示される技術は、係止爪を設けた係止部材を、平面から見て一部が開口した略Ｃ字状とし、この係止部材を嵌挿する取付ネジの締め付け螺入により、係止部材の開口をアンテナベースに設けた楔状部材と取付ネジのテーパー状部による楔効果により拡げて、係止爪の先端を外方に拡げて車体に穿設した取付孔の周縁部に臨ませるようにしたものである。また、特表２００５−５０６７３２号に示される技術は、係止爪を設けた係止部材に上部が広いテーパー状の開口用当接部を設け、アンテナベースにも上部が広いテーパー状の拡大部を設け、係止部材の開口用当接部にアンテナベースの拡大部を当接させて、同様に楔効果により、係止部材の開口用当接部を拡げて係止爪の先端を外方に拡大するようにしたものである。
【発明の開示】
【発明が解決しようとする課題】
【０００５】
特開２００５−５１４１２号に示されている技術にあっては、係止部材の開口をアンテナベースに設けた楔状部材と取付ネジのテーパー状部により拡げて、係止爪の先端を車体に穿設した取付孔の周縁部に臨ませるようにしたものであるので、車体に穿設された取付孔の寸法の違いに対応するためには、係止部材およびアンテナベースに設ける楔状部材の楔の開き角度さらに取付ネジのテーパー状部のテーパーの角度を変更しなければならない。また、特表２００５−５０６７３２号に示されている技術にあっても、取付孔の寸法の違いに対応するためには、係止部材に設けた上部が広いテーパー状の開口用当接部およびアンテナベースに設けた上部が広いテーパー状の拡大部のテーパーの角度を変更しなければならない。そこで、取付孔の寸法の違いに対応するためには、いずれも２部品の設計変更が必要であり、汎用性に欠けていた。
【０００６】
本発明は、上述のごとき事情に鑑みてなされたもので、取付孔の寸法の違いに対して、１部品の設計変更で対応できるアンテナ取付装置を提供することを目的とする。
【課題を解決するための手段】
【０００７】
かかる目的を達成するために、本発明のアンテナ取付装置は、車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起は下部分を一体で上部分を縦割りで複数に分割して形成し、前記複数に分割され上部分の１つを係止爪とし、他の１つを断面く字状となるように内方に折り曲げて開口用腕部とし、前記アンテナベースに前記開口用腕部の上端部が当接して上方と内方への移動を規制する当接部を設け、前記取付ネジの締め付け螺入により前記開口用腕部の前記断面く字状をより深く折り曲げることで前記下部分が一体の前記係止爪の先端が外方に拡がって前記取付孔の周縁部に臨むように構成されている。
【０００８】
そして、アンテナベースから下方に取付ネジを突設し、前記取付ネジに車体に穿設した取付孔に挿通できる係止部材を嵌挿し、さらに前記取付ネジの下端部にナットを螺合し、前記係止部材は、周縁部から上方に向けて複数の突起を突出し、前記突起は下部分を一体で上部分を縦割りで複数に分割して形成し、前記複数に分割され上部分の１つを係止爪とし、他の１つを断面く字状となるように内方に折り曲げて開口用腕部とし、前記アンテナベースに前記開口用腕部の上端部が当接して上方と内方への移動を規制する当接部を設け、前記ナットの締め付け螺合により前記開口用腕部の前記断面く字状をより深く折り曲げることで前記下部分が一体の前記係止爪の先端が外方に拡がって前記取付孔の周縁部に臨むように構成しても良い。
【０００９】
また、車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起の一部分を内方に折り曲げてその先端が上方を向くように切り起こし、前記突起を係止爪とし、前記切り起こしを開口用腕部とし、前記アンテナベースに前記開口用腕部の上端部が当接して上方と内方への移動を規制する当接部を設け、前記取付ネジの締め付け螺入により前記開口用腕部の前記切り起こしの折り曲げの深さを浅くすることで前記係止爪の先端が外方に拡がって前記取付孔の周縁部に臨むように構成することもできる。
【００１０】
そしてまた、アンテナベースから下方に取付ネジを突設し、前記取付ネジに車体に穿設した取付孔に挿通できる係止部材を嵌挿し、さらに前記取付ネジの下端部にナットを螺合し、前記係止部材は、周縁部から上方に向けて複数の突起を突出し、前記突起の一部分を内方に折り曲げてその先端が上方を向くように切り起こし、前記突起を係止爪とし、前記切り起こしを開口用腕部とし、前記アンテナベースに前記開口用腕部の上端部が当接して上方と内方への移動を規制する当接部を設け、前記ナットの締め付け螺合により前記開口用腕部の前記切り起こしの折り曲げの深さを浅くすることで前記係止爪の先端が外方に拡がって前記取付孔の周縁部に臨むように構成することも可能である。
【００１１】
さらに、前記突起に上縁部から下方に向けて途中まで切り込みを設けて、前記突起を下部分が一体で上部分が複数に分割された形状に構成しても良い。
【００１２】
また、前記突起に上縁部から下方に向けて途中まで１本の切り込みを設けて、前記突起を下部分が一体で上部分が２つに分割された形状に構成しても良い。
【００１３】
また、前記突起の中央部分に、上側を連結し下側を遊端部とする切り込みを設け、前記遊端部をレ字状に内方に折り曲げてその先端が上方を向くように切り起こして前記開口用腕部を構成しても良い。
【００１４】
また、前記突起の中央部分に、上側を遊端部とし下側を連結する切り込みを設け、前記遊端部をく字状に内方に折り曲げてその先端が上方を向くように切り起こして前記開口用腕部を構成しても良い。
【００１５】
また、前記当接部で前記開口用腕部の上端部が前記取付ネジの締め付け螺入方向へ移動するのを規制するように構成しても良い。
【００１６】
また、前記当接部で前記開口用腕部の上端部が前記ナットの締め付け螺合方向へ移動するのを規制するように構成しても良い。
【００１７】
また、前記アンテナベースに前記係止爪の上端部が当接する上部が広いテーパー状の斜面を設け、前記取付ネジの締め付け螺入の初期の段階で、前記係止爪の先端が外方に前記斜面により拡がるように構成しても良い。
【００１８】
また、前記アンテナベースに前記係止爪の上端部が当接する上部が広いテーパー状の斜面を設け、前記取付ナットの締め付け螺合の初期の段階で、前記係止爪の先端が外方に前記斜面により拡がるように構成しても良い。
【発明の効果】
【００１９】
請求項１乃至４記載のいずれのアンテナ取付装置にあっても、係止部材の開口用腕部の長さを変更することで、係止爪の開く角度を調整できて係止爪の先端が外方に拡がる大きさを変更することができる。そこで、取付孔の寸法の違いに対して、係止部材の１部品を変更することで対応できる。
【００２０】
請求項５および６記載のいずれのアンテナ取付装置にあっても、係止部材の周縁部に設けた突起に、上縁部から下方に向けて途中まで切り込みを設けることで、突起を係止爪と開口用腕部を形成する部分とに分割でき、構造が簡単である。
【００２１】
請求項７および８記載のいずれのアンテナ取付装置にあっても、突起の中央部分に、上側または下側を連結し他方側を遊端部とする切り込みを設け、遊端部を内方に折り曲げてその先端が上方を向くように切り起こして開口用腕部を形成しているので、請求項５および６記載のものと同様に、構造が簡単である。
【００２２】
請求項９および１０記載のいずれのアンテナ取付装置にあっても、アンテナベースに設けた当接部で、開口用腕部の上端部が取付ネジまたはナットとともに共回りするのが規制され、アンテナベースに対して係止部材の相対位置が変化することがない。
【００２３】
請求項１１および１２記載のいずれのアンテナ取付装置にあっても、取付ネジまたはナットを締め付ける初期の段階で、係止部材の係止爪の先端がアンテナベースに設けた斜面で拡大されるので、開口用腕部の折り曲げと共同して係止爪の先端を外方に拡げることができる。そこで、取付ネジまたはナットを締め付ける初期の段階で、開口用腕部を折り曲げる力を軽減することができる。
【発明を実施するための最良の形態】
【００２４】
以下、本発明の第１実施例を図１ないし図８を参照して説明する。図１は、本発明のアンテナ取付装置の第１実施例を取付孔に上方から挿入した状態を示し、（ａ）は正面図、（ｂ）は底面図である。図２は、本発明のアンテナ取付装置の第１実施例で、図１の状態から取付ネジを締め付け螺入させた状態を示し、（ａ）は正面図、（ｂ）は底面図である。図３は、図１（ｂ）のＡ−Ａ矢視断面図である。図４は、図２（ｂ）のＢ−Ｂ矢視断面図である。図５は、係止部材を示し、（ａ）は平面図、（ｂ）は正面図、（ｃ）は（ａ）のＣ−Ｃ矢視断面図である。図６は、アンテナベースの要部を示し、（ａ）は正面図、（ｂ）は左側面図、（ｃ）は底面図、（ｄ）は（ｃ）のＤ−Ｄ矢視断面図、（ｅ）は（ａ）のＥ−Ｅ矢視断面図である。図７は、本発明のアンテナ取付装置の第１実施例の分解図である。図８は、取付ネジの締め付け螺入により係止爪の先端が外方に拡がる動作を説明するものであり、（ａ）は締め付け前の状態、（ｂ）は締め付け途中の状態、（ｃ）は締め付けた状態である。
【００２５】
本発明の第１実施例において、図６に示すアンテナベース１０は、従来のアンテナ取付装置と同様に、その上側に図示しないケースが設けられ、このケース内に増幅回路等が適宜に収容配設され、またケースに図示しないアンテナエレメントの基端部が固定される。そして、アンテナベース１０の下側には、図示しないゴムパッキン部材が配設されて、車体に当接配置される。
【００２６】
そして、本発明の第１実施例のアンテナベース１０は、導電金属で形成され、下面に平面が略正方形でその四隅が面取されたごとき形状のの凸部１０ａが設けられ、この凸部１０ａの中央に外形が円柱状の円柱部１０ｂが設けられ、その中央で上下方向に雌ネジ１０ｃが螺切される。また、凸部１０ａの略正方形の４つの側方の周面に、下端面から上方に途中まで設けた当接部としての溝１０ｄ、１０ｄ…が設けられ、この溝１０ｄ、１０ｄ…の上端面と凸部１０ａの側方の周面に跨り上部が拡がるテーパー状の斜面１０ｅ、１０ｅ…が設けられる。さらに、凸部１０ａの１つの隅に上下方向に貫通するケーブル孔１０ｆが穿設される。また、凸部１０ａの対向する２つの側方の周面に開口するとともに上方向に貫通する仮止め部材用孔１０ｇ、１０ｇが穿設される。
【００２７】
また、本発明の第１実施例の係止部材２０は、導電金属板で形成され、図５に示すごとく、下側に円形の底部を有し、この底部の周縁部から上方に向けて４つの突起を突出させ、これらの突起に上縁部から下方に向けて途中までの切り込みが設けられる。突起は、下部分が一体で上部分が縦割りで２つに分割される。この２つに分割された一方を係止爪２０ａとしてその先端が凸なる三角とされ、他方が開口用腕部２０ｂとして断面く字状となるように内方に少し折り曲げられる。そして、底部の中央には、取付ネジ挿通用の孔２０ｃが穿設される。かかる形状の係止部材２０は、アンテナベース１０の凸部１０ａの平面寸法を超えないように設定されている。また、底部の周縁部にケーブル逃げ用の切り欠き２０ｆが設けられる。なお、底部は、浅い容器状であっても良く、また係止爪２０ａ、２０ａ…に上下方向に打ち出しによるリブ２０ｅ、２０ｅ…を設けて、係止爪２０ａ、２０ａ…の折り曲げ強度を大きなものとしても良い。
【００２８】
さらに、取付ネジ１８は、導電金属で形成され、図７に示すごとく、平面六角形の頭部１８ａを備え、この頭部１８ａのネジ棒側に、フランジ部１８ｂが形成される。また、仮止め部材２２は、弾性を備えた樹脂等で形成され、図７に示すごとく、略コ字状でその両側のアームの先端に互いに外方に向けて突出する仮止め爪２２ａ，２２ａが設けられている。また、仮止め部材２２には、取付ネジ逃げ用の切り欠き２２ｂが設けられている。
【００２９】
アンテナベース１０と係止部材２０と取付ネジ１８および仮止め部材２２が、図７に示すごとく、組み付けられる。すなわち、アンテナベース１０に上方から仮止め部材２２が組み付けられて、両側のアームがアンテナベース１０の仮止め部材用孔１０ｇ、１０ｇに挿通され、両側のアームの先端の仮止め爪２２ａ、２２ａがアンテナベース１０の凸部の対向する２つの周面から側方に突出した状態となる。さらに、係止部材２０の孔２０ｃに、下方から取付ネジ１８を挿通し、取付ネジ１８の先端部をアンテナベース１０の雌ネジ１０ｃに螺入させて一体化される。ここで、取付ネジ１８を適宜な長さだけ螺入させると、係止部材２０の開口用腕部２０ｂ、２０ｂ…の上端部が、アンテナベース１０に設けた溝１０ｄ、１０…の上端面に当接するとともに、係止部材２０の係止爪２０ａ、２０ａ…の先端が、アンテナベース１０に設けた斜面１０ｅ、１０ｅ…に当接する。かかる状態では、溝１０ｄ、１０ｄ…の上端面により開口用腕部２０ｂ、２０ｂ…の上端部が上方への移動が規制され、溝１０ｄ、１０ｄ…の深さにより開口用腕部２０ｂ、２０ｂ…の上端部が内方への移動が規制され、さらに溝１０ｄ、１０ｄ…の幅により開口用腕部２０ｂ、２０ｂ…の上端部が取付ネジ１８の締め付け回転方向への移動が規制される。なお、アンテナベース１０のケーブル孔１０ｆに、係止部材２０の切り欠き２０ｆが臨むように配設され、この貫通孔にケーブルが挿通される。
【００３０】
かかる一体化された状態で、図１および図３に示すごとく、車体のルーフ等に穿設された取付孔２４に、上方から挿入する。この取付孔２４は、アンテナベース１０の凸部１０ａの平面寸法より僅かに大きな寸法に設定されている。そこで、取付孔２４を挿通する際に、仮止め部材２２の両側のアームが弾性変形して挿入が許容され、通過すると弾性復帰して仮止め爪２２ａ、２２ａが取付孔２４の周縁部の裏面に位置し、上方への抜けが規制され、仮止め状態となる。この仮止め状態から、取付ネジ１８を締め付けると、まず図８（ａ）に示すごとく、溝１０ｄ、１０ｄ…の上端面により、係止部材２０の開口用腕部２０ｂ、２０ｂ…の上端部が上方と内方への移動が規制されるために、開口用腕部２０ｂ、２０ｂ…には上方からの力Ｐが作用する。ここで、開口用腕部２０ｂ、２０ｂ…は、上端部が内方に断面く字状に折り曲げられているので、さらに座屈するように、この折り曲げ部を外方に拡大する力Ｆが作用する。これと同時に、取付ネジ１８の締め付け螺入の初期の段階では、係止爪２０ａ、２０ａ…の先端がアンテナベース１０の斜面１０ｅ、１０ｅ…に当接して相対移動するので、楔効果により先端を外方に拡げる力が作用する。そこで、この楔効果による係止爪２０ａ、２０ａ…の先端を外方に拡げる力も、開口用腕部２０ｂ、２０ｂ…の断面く字状の折り曲げ部を外方に拡げるように作用する。もって、取付ネジ１８の締め付け螺入の初期の段階では開口用腕部２０ｂ、２０ｂ…の断面く字状の折り曲げが浅くてより深く折り曲げるのに大きな力が必要であるが、楔効果による係止爪２０ａ、２０ａ…の先端を外方に拡げる力の共同作用により、小さな力で開口用腕部２０ｂ、２０ｂ…の断面く字状の折り曲げ部をより深く折り曲げることができる。そして、この開口用腕部２０ｂ、２０ｂ…の断面く字状の折り曲げが深くなることで、図８（ｂ）に示すごとく、下部分が一体である係止爪２０ａ、２０ａ…の先端が外方に拡がり、取付孔２４の周縁部に臨む位置となる。さらに、取付ネジ１８を締め付け螺入させると、開口用腕部２０ｂ、２０ｂ…の断面く字状の折り曲げがより深くなり、係止爪２０ａ、２０ａ…の先端の外方もさらに拡げられる。最終的には、アンテナベース１０の円柱部１０ｂの下端面と取付ネジ１８のフランジ部１８ｂで係止部材２０の底部が狭持される状態となって、図８（ｃ）に示すごとく、これ以上の取付ネジ１８の締め付け螺入ができない状態となる。この取付ネジ１８の締め付け螺入ができない状態となる前の適宜な状態で、係止爪２０ａ、２０ａ…の先端が取付孔２４の周縁部の車体の裏面に当接するように設定することで、更なる取付ネジ１８の締め付け螺入により係止爪２０ａ、２０ａ…の先端が車体の裏面に当接したまま位置がずれて塗装面を削り、車体自体に食い込む。そこで、係止爪２０ａ、２０ａ…を介して、アンテナベース１０が車体に確実に電気的接続される。しかも、溝１０ｄ、１０ｄ…の幅により係止部材２０は、取付ネジ１８の締め付け螺入と共に回動することがないので、ケーブルを損傷させる虞がない。
【００３１】
かかる構成の第１実施例にあっては、開口用腕部２０ｂ、２０ｂ…の上下方向の寸法を長くするほど、取付ネジ１８がこれ以上締め付け螺入されない状態で、断面く字状の折り曲げ深さが大きくなり、これによって係止爪２０ａ、２０ａ…の先端が外方により大きく拡大される。また、係止爪２０ａ、２０ａ…の上下方向の寸法を長くするほど、先端が外方により大きく拡大されることは勿論である。よって、取付孔２４の寸法の違いに対して、１つの部品である係止部材２０を適宜に設計変更することによって十分に対応することができる。なお、係止爪２０ａ、２０ａ…の先端が外方に拡げられる大きさは、開口用腕部２０ｂ、２０ｂ…の断面く字状の折り曲げ深さによって変化することから、アンテナベース１０の円柱部１０ｂの上下方向の長さや、溝１０ｄ、１０ｄ…の上下方向の長さを適宜に変更しても、取付孔２４の寸法の違いに対応することができる。そこで、係止部材２０とアンテナベース１０の２部品を設計変更して、取付孔２４の寸法の違いに対応することも勿論可能である。そして、上端縁からの切り込みにより開口用部材２０ｂ、２０ｂ…が形成されるので、その構造が簡単であり、板金加工機械などでの製造が容易である。
【００３２】
次に、本発明の第２実施例を図９を参照して説明する。図９は、本発明のアンテナ取付装置の第２実施例の分解図である。図９において、図１ないし図８と同じまたは均等な部材には同じ符号を付けて重複する説明を省略する。
【００３３】
図９に示す第２実施例において、アンテナベース３０が第１実施例のアンテナベース１０と相違するところは、雌ネジ１０ｃを螺切するのに代えて、アンテナベース３０から下方に取付ネジ３０ａを突設したことにある。そして、この取付ネジ３０ａに螺合するナット３２は、平面六角形の頭部３２ａとフランジ部３２ｂを有する。なお、係止部材２０および仮止め部材２２は、第１実施例と同じである。
【００３４】
かかる構成の第２実施例にあっても、ナット３２を締め付け螺合させることで、係止部材２０の開口用腕部２０ｂ、２０ｂ…の断面く字状の折り曲げがより深くなり、これに伴って、係止爪２０ａ、２０ａ…の先端が外方に拡がって、取付孔２４の周縁部で車体の裏面に当接して食い込む。
【００３５】
上記第１実施例および第２実施例では、突起の上部分を縦割りで２つに分割して、一方を係止爪２０ａとし、他方を開口用腕部２０ｂとしているが、これに限られず、突起の上部分を縦割りで３つ以上に分割して、そのうちの少なくとも１つを係止爪とし残りのうちの少なくとも１つを開口用腕部としても良い。また、上記第１実施例および第２実施例では、突起の上縁部から下方に向けて途中までスリット状の切り込みを設けることで、上部分を縦割りにしているが、このスリット状の縦割りに限られず、上部分で係止爪２０ａと開口用腕部２０ｂが分かれており、下部分で一体であれば、いかなる形状であっても良い。さらに、上記第１実施例および第２実施例では、開口用腕部２０ｂが内方に折り曲げられて、その先端が斜め上方を向くようになされているが、これに限られず、上方からの力Ｐが作用すると、開口用腕部２０ｂ、２０ｂ…が座屈するようにこの折り曲げ部を外方に拡大する力Ｆが作用する形状であれば良く、例えば、開口用腕部２０ｂが係止爪２０ａと連結される部分の近くで内方に折り曲げられるとともに先端の近くで上を向くように再び折り曲げられて形成されても良い。
【００３６】
さらに、本発明の第３実施例を図１０および図１１を参照して説明する。図１０は、本発明のアンテナ取付装置の第３実施例の係止部材を示し、（ａ）は平面図、（ｂ）は正面図、（ｃ）は（ａ）のＦ−Ｆ矢視断面図である。図１１は、取付ネジの締め付け螺入により係止部材の係止爪の先端が外方に拡がる動作を説明するものであり、（ａ）は締め付け前の状態、（ｂ）は締め付け途中の状態、（ｃ）は締め付けた状態である。なお、図１０および図１１において、図１ないし図８と同じまたは均等な部材には同じ符号を付けて重複する説明を省略する。
【００３７】
図１０および図１１に示す第３実施例において、係止部材４０が第１実施例と相違している。第３実施例の係止部材４０は、導電金属板で形成され、図１０に示すごとく、下側に円形の底部を有し、この底部の周縁部から上方に向けて４つの突起を突出させ、これらの突起の中央部が、上側が突起に連結され下側が遊端部となるように切り込みが入れられて、この遊端部がレ字状に内方に深く折り曲げられてその先端が斜め上方に向くように切り起こされている。突起の先端が上に凸なる三角とされて係止爪４０ａ、４０ａ…とされ、先端が斜め上方を向いた切り起こしが開口用腕部４０ｂ、４０ｂ…とされる。そして、底部の中央には、取付ネジ挿通用の孔４０ｃが穿設される。かかる形状の係止部材４０は、アンテナベース１０の凸部１０ａの平面寸法を超えないように設定されている。また、底部の周縁部にケーブル逃げ用の切り欠き４０ｆが設けられる。なお、アンテナベース１０の凸部１０ａの周面に設けられる溝１０ｄ、１０ｄ…は、切り起こしからなる開口用腕部４０ｂ、４０ｂ…の先端部が上方と内方さらには取付ネジ１８の締め付け回転方向への移動が規制されるように設定される。また、突起からなる係止爪４０ａ、４０ａ…の先端が、凸部１０ａの周面に設けられる上方が拡がるテーパー状の斜面１０ｅ、１０ｅ…に当接するように設定される。
【００３８】
本発明の第３実施例では、図１０に示す係止部材４０が、第１実施例の係止部材２０に代えて組み付けられて、アンテナベース１０と仮止め部材２２と係止部材４０および取付ネジ１８が一体化される。そして、取付ネジ１８を締め付けると、まず図１１（ａ）に示すごとく、溝１０ｄ、１０ｄ…の上端面により、係止部材４０の開口用腕部４０ｂ、４０ｂ…の上端部が上方と内方への移動が規制されるために、開口用腕部４０ｂ、４０ｂ…には上方からの力Ｐが作用する。この力Ｐにより、切り起こしのレ字状の折り曲げ部に折り曲げを元に戻す力が作用し、折り曲げ部を外方に拡大する力Ｆが作用する。これと同時に、取付ネジ１８の締め付け螺入の初期の段階では、係止爪４０ａ、４０ａ…の先端がアンテナベース１０の斜面１０ｅ、１０ｅ…に当接して相対移動するので、楔効果により先端を外方に拡げる力が作用する。もって、開口用腕部４０ｂ、４０ｂ…の折り曲げ部の折り曲げ深さをより浅くし、すなわち折り曲げを元に戻しようにして、図１１（ｂ）に示すごとく、係止爪４０ａ、４０ａ…の先端が外方に拡げられて、取付孔２４の周縁部に臨む位置となる。さらに、取付ネジ１８を締め付け螺入させると、図１１（ｃ）に示すごとく、開口用腕部４０ｂ、４０ｂ…の折り曲げ部の折り曲げ深さがさらに浅くなり、係止爪４０ａ、４０ａ…の先端が外方にさらに拡げられる。
【００３９】
かかる構成の第３実施例にあっても、開口用腕部４０ｂ、４０ｂ…となる切り起こしの上下方向の寸法を長くすると、係止爪４０ａ、４０ａ…の先端が外方により大きく拡大される。よって、取付孔２４の寸法の違いに対して、１つの部品である係止部材４０を適宜に設計変更することで十分に対応することができる。そして、突起の一部が切り起こされて開口用部材４０ｂ、４０ｂ…が形成されるので、第１実施例と同様に、その構造が簡単であり、板金加工機械などでの製造が容易である。
【００４０】
そしてさらに、本発明の第４実施例を図１２および図１３を参照して説明する。図１２は、本発明のアンテナ取付装置の第４実施例の係止部材を示し、（ａ）は平面図、（ｂ）は正面図、（ｃ）は（ａ）のＧ−Ｇ矢視断面図である。図１３は、アンテナベースに取付ネジにより係止部材が組み付けられた要部の縦断面図である。なお、図１２および図１３において、図１ないし図１１と同じまたは均等な部材には同じ符号を付けて重複する説明を省略する。
【００４１】
図１２および図１３に示す第４実施例において、係止部材５０が第３実施例と少し相違し、この相違に伴い、アンテナベース６０が第３実施例と若干相違する。第４実施例の係止部材５０は、導電金属板で形成され、図１２に示すごとく、下側に円形の底部を有し、この底部の周縁部から上方に向けて４つの突起を突出させ、これらの突起の中央部が、下側が突起に連結され上側が遊端部となるように切り込みが設けられ、この遊端部がく字状に内方に浅く折り曲げられてその先端が斜め上方に向くように切り起こされている。突起の先端が上に凸なる三角とされて係止爪５０ａ、５０ａ…とされ、先端が斜め上方を向いた切り起こしが開口用腕部５０ｂ、５０ｂ…とされる。ここで、係止爪５０ａ、５０ａ…は、開口用腕部５０ｂ、５０ｂ…より、第３実施例に比べて、かなり上方に長い寸法となる。そして、底部の中央には、取付ネジ挿通用の孔５０ｃが穿設される。かかる形状の係止部材５０は、アンテナベース６０の凸部１０ａの平面寸法を超えないように設定されている。また、底部の周縁部にケーブル逃げ用の切り欠き５０ｆが設けられる。なお、アンテナベース６０の凸部１０ａの周面に設けられる溝１０ｄ、１０ｄ…は、切り起こしからなる開口用腕部５０ｂ、５０ｂ…の先端部が上方と内方さらには取付ネジ１８の締め付け回転方向への移動が規制されるように設定される。また、突起からなる係止爪５０ａ、５０ａ…の先端が、凸部１０ａの周面に設けられる上方が拡がるテーパー状の斜面１０ｅ、１０ｅ…に当接するように設定される。この斜面１０ｅ、１０ｅ…は、係止爪５０ａ、５０ａ…が開口用腕部５０ｂ、５０ｂ…よりかなり上方に長い寸法となるのに伴い、溝１０ｄ、１０ｄ…の上端部より内方に浅い別の溝６０ａ，６０ａ…を設け、この浅い溝６０ａ、６０ａ…の上端面を上方に拡がるテーパー状の斜めとして形成されている。
【００４２】
本発明の第４実施例では、取付ネジ１８を締め付けると、溝１０ｄ、１０ｄ…の上端面により、係止部材５０の開口用腕部５０ｂ、５０ｂ…の上端部が上方と内方への移動が規制されるために、開口用腕部５０ｂ、５０ｂ…には上方からの力が作用する。この力により、切り起こしの折り曲げ部にく字状の折り曲げをさらに深くする力が作用し、折り曲げ部を外方に拡大する力が作用する。これと同時に、取付ネジ１８の締め付け螺入の初期の段階では、係止爪５０ａ、５０ａ…の先端がアンテナベース６０の斜面１０ｅ、１０ｅ…に当接して相対移動するので、楔効果により先端を外方に拡げる力が作用する。もって、開口用腕部５０ｂ、５０ｂ…の折り曲げ部の折り曲げをより深くし、係止爪５０ａ、５０ａ…の先端が外方に拡げられて、取付孔２４の周縁部に臨む位置となる。
【００４３】
かかる構成の第４実施例にあっても、開口用腕部５０ｂ、５０ｂ…となる切り起こしの上下方向の寸法を長くすると、係止爪５０ａ、５０ａ…の先端が外方により大きく拡大される。また、係止爪５０ａ、５０ａ…は、開口用腕部５０ｂ、５０ｂ…より、かなり上方に長い寸法となっているので、切り起こしの折り曲げ部が外方に拡大される寸法が、倍増されて、係止爪５０ａ、５０ａ…の先端が外方により大きく拡大される。よって、取付孔２４の寸法の違いに対して、１つの部品である係止部材５０を適宜に設計変更することで十分に対応することができる。そして、突起の一部が切り起こされて開口用部材５０ｂ、５０ｂ…が形成されるので、第１実施例と同様に、その構造が簡単であり、板金加工機械などでの製造が容易である。
【００４４】
上記第３実施例および第４実施例では、突起の中央部に切り込みを設けて切り起こしを形成し、この切り起こしを開口用腕部４０ｂ、５０ｂとしているが、これに限られず、突起の片側部分または両側部分を切り起こして開口用腕部４０ｂ、５０ｂとしても良い。
【００４５】
なお、上記第１実施例乃至第４実施例のいずれにあっても、係止爪２０ａ、２０ａ…、４０ａ、４０ａ…、５０ａ、５０ａ…は４本設けられているが、係止爪の本数はこれに限られるものでない。アンテナベース１０、３０、６０を車体に電気的導通させるためには係止爪は１本以上あれば良い。そして、取付孔２４の周縁部に略均等分割位置に当接するように３本以上の係止爪が設けられれば、係止爪が車体の裏面に当接して食い込む際に、車体に対してアンテナベース１０、３０、６０を回動させる方向の力を作用させることなく固定させることができ、車体に歪みを生じさせる虞がない。また、係止爪２０ａ、２０ａ…、４０ａ、４０ａ…、５０ａ、５０ａ…により、アンテナベース１０、３０、６０を車体に電気的導通させる必要がないならば、係止部材２０、４０、５０は適宜に弾性変形または塑性変形できるものであれば良い。
【図面の簡単な説明】
【００４６】
【図１】本発明のアンテナ取付装置の第１実施例を取付孔に上方から挿入した状態を示し、（ａ）は正面図、（ｂ）は底面図である。
【図２】本発明のアンテナ取付装置の第１実施例で、図１の状態から取付ネジを締め付け螺入させた状態を示し、（ａ）は正面図、（ｂ）は底面図である。
【図３】図１（ｂ）のＡ−Ａ矢視断面図である。
【図４】図２（ｂ）のＢ−Ｂ矢視断面図である。
【図５】係止部材を示し、（ａ）は平面図、（ｂ）は正面図、（ｃ）は（ａ）のＣ−Ｃ矢視断面図である。
【図６】アンテナベースの要部を示し、（ａ）は正面図、（ｂ）は左側面図、（ｃ）は底面図、（ｄ）は（ｃ）のＤ−Ｄ矢視断面図、（ｅ）は（ａ）のＥ−Ｅ矢視断面図である。
【図７】本発明のアンテナ取付装置の第１実施例の分解図である。
【図８】図８は、取付ネジの締め付け螺入により係止爪の先端が外方に拡がる動作を説明するものであり、（ａ）は締め付け前の状態、（ｂ）は締め付け途中の状態、（ｃ）は締め付けた状態である。
【図９】本発明のアンテナ取付装置の第２実施例の分解図である。
【図１０】本発明のアンテナ取付装置の第３実施例の係止部材を示し、（ａ）は平面図、（ｂ）は正面図、（ｃ）は（ａ）のＦ−Ｆ矢視断面図である。
【図１１】取付ネジの締め付け螺入により係止部材の係止爪の先端が外方に拡がる動作を説明するものであり、（ａ）は締め付け前の状態、（ｂ）は締め付け途中の状態、（ｃ）は締め付けた状態である。
【図１２】本発明のアンテナ取付装置の第４実施例の係止部材を示し、（ａ）は平面図、（ｂ）は正面図、（ｃ）は（ａ）のＧ−Ｇ矢視断面図である。
【図１３】アンテナベースに取付ネジにより係止部材が組み付けられた要部の縦断面図である。
【符号の説明】
【００４７】
１０、３０、６０  アンテナベース
１０ａ  凸部
１０ｂ  円柱部
１０ｃ  雌ネジ
１０ｄ  溝
１０ｅ  斜面
１０ｆ  ケーブル孔
１８、３０ａ  取付ネジ
１８ａ、３２ａ  頭部
１８ｂ、３２ｂ  フランジ部
２０、４０、５０  係止部材
２０ａ、４０ａ、５０ａ  係止爪
２０ｂ、４０ｂ、５０ｂ  開口用腕部
２０ｃ、４０ｃ、５０ｃ  孔
２０ｆ、２２ｂ、４０ｆ、５０ｆ  切り欠き
２２  仮止め部材
２２ａ  仮止め爪
２４  取付孔
３２  ナット
【図１】
2006345245.tif 000003
【図２】
2006345245.tif 000004
【図３】
2006345245.tif 000005
【図４】
2006345245.tif 000006
【図５】
2006345245.tif 000007
【図６】
2006345245.tif 000008
【図７】
2006345245.tif 000009
【図８】
2006345245.tif 000010
【図９】
2006345245.tif 000011
【図１０】
2006345245.tif 000012
【図１１】
2006345245.tif 000013
【図１２】
2006345245.tif 000014
【図１３】
2006345245.tif 000015